【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
センターフレームサポートと、
前記センターフレームサポートの第１の端部から伸びる第１のサイドアームと、
前記センターフレームサポートの第２の端部から伸びる第２のサイドアームと、
前記センターフレームサポートに取り付けられたノーズブリッジと、
前記ノーズブリッジに取り外し可能に取り付けられた少なくとも１つのレンズと、
前記第１のサイドアーム又は前記第２のサイドアームの少なくとも１つに取り付けられ、前記レンズに隣接して配置可能なディスプレイエレメントと、
を具備する頭部着用装置。
【請求項２】
前記ノーズブリッジは、１対のブリッジアームをさらに具備することを特徴とする請求項１に記載の装置。
【請求項３】
前記少なくとも１つのレンズは、少なくとも１つの前記ブリッジアームに取り付けるよう構成されたクリップを含むことを特徴とする請求項２に記載の装置。
【請求項４】
前記少なくとも１つのレンズは、２つのレンズを含み、該２つのレンズの各々は前記１対のブリッジアームのそれぞれの１つに取り付けるよう構成されたクリップを有することを特徴とする請求項３に記載の装置。
【請求項５】
前記２つのレンズはお互いに一体的に結合されていることを特徴とする請求項４に記載の装置。
【請求項６】
前記クリップは、前記ブリッジアームの内面に取り付けるよう構成されていることを特徴とする請求項４に記載の装置。
【請求項７】
前記クリップは、前記ブリッジアームの外面に取り付けるよう構成されていることを特徴とする請求項４に記載の装置。
【請求項８】
前記ノーズブリッジは、前記ブリッジアームから取り外し可能に結合している１対のノーズパッドを含むことを特徴とする請求項２に記載の装置。
【請求項９】
前記少なくとも１つのレンズは、前記ノーズパッドのそれぞれの１つに結合していることを特徴とする請求項８に記載の装置。
【請求項１０】
前記ディスプレイエレメントを介して前記ユーザに情報を表示するよう構成したエクステンションアームであって、該エクステンションアームは、センターフレームサポートの第１の側部にある前記第１のサイドアームに少なくとも部分的に沿って伸び、さらに、前記第１のサイドアームから前記センターフレームサポートの第２の側部に位置する前記ディスプレイエレメントを支えるディスプレイ端部に伸び、該エクステンションアームは、前記センターフレームサポートに対して少なくとも横方向成分を有する方向に前記ディスプレイエレメントが動くよう構成したジョイントを含むことを特徴とするエクステンションアームをさらに具備することを特徴とする請求項１に記載の装置。
【請求項１１】
前記センターフレームサポート、前記第１のサイドアーム、及び、前記第２のサイドアームは、前記第１のサイドアーム及び前記第２のサイドアームにそれぞれ位置する第１の端部及び第２の端部の間に伸びるバンドとして構成され、該第１の端部と該第２の端部とは、前記センターフレームサポートから遠方にあって、第１の間隔で相互に隔てられており、前記バンドは、前記第１の間隔を選択的に広げるために弾性的に変形することができることを特徴とする請求項１に記載の装置。
【請求項１２】
前記第１のサイドアームの端部は、前記第２のサイドアームの自由端と比較して長く、非対称なＵ字型を形成することを特徴とする請求項１１に記載の装置。
【請求項１３】
前記第１のサイドアームの端部は、前記第２のサイドアームの端部と比較して大きく、該大きな端部は前記ディスプレイエレメントが採用する回路及び電源のうちの少なくとも１つを収納することを特徴とする請求項１１に記載の装置。
【請求項１４】
前記非対称なＵ字型により、ユーザの頭に複数の接触点をもたらし、
前記第１のサイドアームの大きな端部は、前記エクステンションアームに対してバランシングウェイトとなる、
ことを特徴とする請求項１３に記載の装置。
【請求項１５】
前記大きな端部は、外部装置を前記回路及び電源のうちの少なくとも１つに接続する複数の電気接点を含むことを特徴とする請求項１３に記載の装置。
【請求項１６】
センターフレームサポートと、
前記センターフレームサポートの第１の端部から伸びる第１のサイドアームと、
前記センターフレームサポートの第２の端部から伸びる第２のサイドアームと、
前記センターフレームサポートに取り付けられたノーズブリッジと、
相対する第１の側と第２の側、及び、前記第１のサイドアーム又は前記第２のサイドアームの少なくとも１つに取り付けられた第３の側を有するディスプレイエレメントと、
前記ディスプレイエレメントの第１の側に隣接して配置された第１のレンズと、
前記ディスプレイエレメントの第２の側に隣接して配置された第２のレンズと、
前記第１のレンズと前記第２のレンズとのうちの１つに隣接して配置された第３のレンズと、
を具備し、
前記第１のレンズと前記第２のレンズは共に結合され、前記ディスプレイエレメントを受け入れるサイズの開口を形成し、前記第１のレンズと前記第２のレンズは前記ディスプレイエレメントから取り外し可能である、頭部着用装置。
【請求項１７】
前記第１のレンズは、該第１のレンズを第１の面の近傍から取り除くことができ、同時に、前記第２のレンズを第２の面の近傍から取り除くことができるようにして、前記第２のレンズとともに組み立てられることを特徴とする請求項１６に記載の装置。
【請求項１８】
前記第１のレンズは、前記第１の面に隣接して配置され、前記第２のレンズは前記第２の面に隣接して配置されていることを特徴とする請求項１６に記載の装置。
【請求項１９】
前記第１のレンズと前記第２のレンズとは、各々がお互いに正反対の処方箋に従い視力矯正を行うよう構成されていることを特徴とする請求項１６に記載の装置。
【請求項２０】
前記第３のレンズと前記第１のレンズとは、同一の処方箋に従い視力矯正を行うよう構成されていることを特徴とする請求項１９に記載の装置。
【請求項２１】
前記第１のレンズと前記第２のレンズとは、各々、前記ディスプレイエレメントの外形と実質的に同じ外形を持つことを特徴とする請求項１６に記載の装置。
【請求項２２】
センターフレームサポートと、
前記センターフレームサポートに取り外し可能に固定することができるノーズブリッジと、
前記センターフレームサポートの第１の端部から伸びるよう構成された第１のサイドアームと、
前記センターフレームサポートの第２の端部から伸びるよう構成された第２のサイドアームと、
前記第１のサイドアーム又は前記第２のサイドアームの少なくとも１つに取り付け可能なディスプレイエレメントと、
頭部着用装置の前記ディスプレイエレメントに隣接する位置に取り外し可能に取り付けるよう構成された少なくとも１つのレンズと、
を具備し、
前記少なくとも１つのレンズは前記ノーズブリッジに取り付けるよう構成されている頭部着用装置のキット。
【請求項２３】
センターフレームサポートと、
センターフレームサポートに固定することができ複数のブリッジアームを有するノーズブリッジと、
前記センターフレームサポートの第１の端部から伸びるよう構成された第１のサイドアームと、
前記センターフレームサポートの第２の端部から伸びるよう構成された第２のサイドアームと、
前記第１のサイドアーム又は前記第２のサイドアームの少なくとも１つに取り付け可能なディスプレイエレメントと、
頭部着用装置の前記ディスプレイエレメントに隣接する位置に取り外し可能に取り付けるよう構成された少なくとも１つのレンズと、
を具備し、
前記少なくとも１つのレンズは前記複数のブリッジアームのうちの１つに取り付けるよう構成されている頭部着用装置のキット。
【請求項２４】
ディスプレイエレメントに取り外し可能に取り付けるよう構成されたスリーブであって、該スリーブは、
第１のレンズと、
第２のレンズであって、該第２のレンズは前記第１のレンズとは正反対の処方箋に従い視力矯正を行うよう構成されていることを特徴とする該第２のレンズと、
前記第１のレンズを前記第２のレンズから定められた距離のところに固定し、これらの間に開口を形成するよう構成された１対のサポート面であって、該開口は、頭部着用装置のディスプレイエレメントを受け入れるよう構成されていることを特徴とするサポート面と、
を具備することを特徴とするスリーブ。
【請求項２５】
前記スリーブは、前記第１のレンズがディスプレイエレメントの第１の側部に隣接し、前記第２のレンズがディスプレイエレメントの第２の側部に隣接するようにディスプレイエレメントに取り外し可能に結合することができることを特徴とする請求項２４に記載のスリーブ。
【請求項２６】
前記第１のレンズと前記第２のレンズとのうちの１つは、頭部着用装置に取り付けられた第３のレンズの処方箋と同一の処方箋に従い視力矯正を行うよう構成されていることを特徴とする請求項２４に記載のスリーブ。